(57)【要約】【課題】  ディスクを再生している場合に、できるだけ無駄なエネルギーを消費しないようにする「ディスク再生装置及びディスク再生方法」を提供する。【解決手段】  音声の出力を伴わない静止画データを再生していると判断した場合に、制御部９は、ディスク回転部２、光ピックアップ３、サーボ部４の動作を停止させるようにしているので、ディスク１１を再生している場合でも、静止画データを再生したままで、ディスク回転部２、光ピックアップ３、サーボ部４の動作を停止させ、電力の消費を抑制させることができ、できるだけ無駄なエネルギーを消費しないようにすることができる。【選択図】        図１
2006338823.tif 000002
【特許請求の範囲】
【請求項１】
データを記録したディスクを再生するディスク再生装置であって、
前記ディスクにレーザ光を照射し、前記データの読み出しを行う光ピックアップと、
前記ディスクを回転駆動するディスク回転部と、
前記光ピックアップ及び前記ディスク回転部を駆動するサーボ部と、
前記光ピックアップによって読み出されたデータが音声の出力を伴わない静止画データであるか否かを判定する状態判定部と、
前記光ピックアップによって読み出されたデータが音声の出力を伴わない静止画データであると前記状態判定部にて判断した場合に、前記静止画データによる画像の出力を継続した状態で、前記光ピックアップ、前記ディスク回転部及び前記サーボ部の少なくとも何れか１つの動作を停止させる状態制御部と、
を備えたことを特徴とするディスク再生装置。
【請求項２】
前記光ピックアップによって読み出されたデータが音声の出力を伴わない静止画データであると前記状態判定部が判断した場合に、前記状態判定部は、前記静止画データによる画像が出力される時間を検出し、
前記状態制御部は、前記状態判定部によって検出された時間が所定の時間以上である場合に、前記光ピックアップ及び前記ディスク回転部の両方、前記サーボ部、又は前記光ピックアップと前記ディスク回転部と前記サーボ部の全ての動作を前記所定の時間よりも短い時間だけ停止させることを特徴とする請求項１に記載のディスク再生装置。
【請求項３】
前記光ピックアップによって読み出されたデータが音声の出力を伴わない静止画データであると前記状態判定部が判断した場合に、前記状態判定部は、前記静止画データによる画像が出力される時間を検出し、
前記静止画データによる画像が出力される時間が無限大であると前記状態判定部にて判断した場合に、前記状態制御部は、前記光ピックアップ及び前記サーボ部を動作させたままで、前記ディスク回転部の動作を停止させることを特徴とする請求項１に記載のディスク再生装置。
【請求項４】
データを記録したディスクをディスク回転部により回転駆動しつつ、前記ディスクからの前記データの読み出しを光ピックアップにより行うと共に、前記光ピックアップと前記ディスク回転部とをサーボ部により制御する第１のステップと、
前記第１のステップにて読み出されたデータが音声の出力を伴わない静止画データであるか否かを状態判定部にて調べる第２のステップと、
前記第２のステップにて、前記データが音声の出力を伴わない静止画データであると状態判定部にて判断した場合に、前記静止画データによる画像の出力を継続した状態で、前記光ピックアップ、前記ディスク回転部及び前記サーボ部の少なくとも何れか１つの動作を状態制御部により停止させる第３のステップと、
を備えたことを特徴とするディスク再生方法。
【発明の詳細な説明】
【技術分野】
【０００１】
本発明は、映像情報を記録したディスクを再生するディスク再生装置及びディスク再生方法に関する。
【背景技術】
【０００２】
一般に、映像情報などを記録したＤＶＤ（Digital Versatile Disc）と呼ばれる光ディスクを再生するディスク再生装置では、スピンドルモータにより回転されているディスクに対して、光ピックアップからレーザ光を照射し、その反射光を検出することでデータの読み出しを行っている。
【０００３】
しかしながら、前述したディスク再生装置では、ディスクが再生されている場合に、データの読み出しが行われていないときでも常にディスクが回転しているので、無駄なエネルギーを消費してしまうという問題があった。また、前述したディスク再生装置では、ディスクが再生されている間は、データの読み出しが行われていないときでも、ディスクの盤面に焦点を合わせるフォーカスサーボ、光ピックアップから照射されるレーザ光がピット列を追従するように制御するトラッキングサーボ、スピンドルモータを制御するスピンドルサーボが働いているので、無駄なエネルギーを消費してしまうという問題があった。
【０００４】
また、ディスクが再生されていない場合に、無駄なエネルギーの消費を抑えるために、ディスク再生装置を含む複数の機器から映像や音声を選択して出力する装置において、ディスク再生装置以外の機器が選択された場合には、ディスクの再生位置を記憶すると共に、ディスクデータ読み取り手段を停止する。そして、ディスク再生装置が再び選択された場合には、ディスクデータ読み取り手段の動作を開始し、記憶された再生位置からディスクの再生を再開する技術が知られている（例えば、特許文献１など）。
【特許文献１】特開２００１−１７６２４９号公報
【０００５】
また、ディスクドライブ装置において、ホスト機器からの再生動作又は記録動作の指示を待機している時間を計測し、待機している時間が所定時間以上になった場合には、フォーカスサーボをオンとしたままディスクの回転を停止させる技術が知られている（例えば、特許文献２など）。
【特許文献２】特開平１１−１６２０８７号公報
【０００６】
しかしながら、これらの特許文献１及び特許文献２の技術では、ディスク再生装置が選択されていない状態やディスクドライブ装置が待機状態である場合には、無駄なエネルギーを消費しないようにすることができるが、ディスクが再生されている状態では、データの読み出しが行われていないときでも常にディスクが回転しているので、無駄なエネルギーを消費しないようにすることができないという問題があった。
【発明の開示】
【発明が解決しようとする課題】
【０００７】
本発明は、このような問題を解決するために成されたものであり、ディスクを再生している場合でも、できるだけ無駄なエネルギーを消費しないようにすることを目的とする。
【課題を解決するための手段】
【０００８】
上記した課題を解決するために、本発明では、音声の出力を伴わない静止画データを再生する際に、ディスクの回転や光ピックアップの動作、サーボの動作を停止するようにしている。
【発明の効果】
【０００９】
上記のように構成した本発明によれば、音声の出力を伴わない静止画データを再生しているときは、ディスクからのデータの読み取りが不要なので、ディスクの回転や光ピックアップの動作、サーボの動作が停止させられることとなる。これにより、ディスクの回転や光ピックアップの動作、サーボの動作による電力の消費を抑制することができる。従って、ディスクを再生している場合でも、音声の出力を伴わない静止画データを再生するときには、できるだけ無駄なエネルギーを消費しないようにすることができる。
【発明を実施するための最良の形態】
【００１０】
以下、本発明の一実施形態を図面に基づいて説明する。図１は、本実施形態によるディスク再生装置１の構成例を示すブロック図である。図１において、本実施形態によるディスク再生装置１は、ディスク回転部２、光ピックアップ３、サーボ部４、デジタル信号処理部５、ＲＡＭ（Random Access Memory）６、電源部７、ＲＯＭ（Read Only Memory）８、制御部９を備えて構成されている。
【００１１】
ここで、本実施形態によるディスク再生装置１にて再生されるディスク１１としては、例えば、ＤＶＤ−Ｖｉｄｅｏの規格によるものが使用される。図２は、ＤＶＤ−Ｖｉｄｅｏのデータ構造を示す図である。図２に示すように、ＤＶＤ−Ｖｉｄｅｏのディスク１１には、内周から外周に向かって、ボリュームファイル構造、ＤＶＤ−Ｖｉｄｅｏゾーン、ＤＶＤ−Ｏｔｈｅｒゾーンが形成されている。これらのうち、ＤＶＤ−Ｖｉｄｅｏゾーンには、再生動作に必要な各種のデータが含まれている。また、ＤＶＤ−Ｖｉｄｅｏゾーンは、１つのＶＭＧ（Video Manager）と１つ以上のＶＴＳ（Video Title Set）とによって構成されている。
【００１２】
また、図２に示すように、ＶＭＧは、ＶＭＧＩ（Video Manager Information）と呼ばれるナビゲーションデータ及びＶＭＧＭ＿ＶＯＢＳ（Video Object Set for VMG Menu）と呼ばれるビデオオブジェクトを含む。このビデオオブジェクトは、タイトルを選択するためのメニュー画面を再生する際の映像データを含む。また、ＶＭＧＩは、ＶＴＳに関する情報（例えば、ＶＴＳの数、各ＶＴＳの識別情報、ＤＶＤ内の各ＶＴＳの格納位置など）、ＤＶＤのタイトルメニューに表示されるタイトルの表示順、再生されるデータがどのようなデータであるかを示す複数のＰＧＣＩ（Program Chain Information）、ＤＶＤを識別するためのディスクＩＤなどを含む。
【００１３】
また、図２に示すように、各ＶＴＳは、ＶＴＳＩ（Video Title Set Information）と呼ばれるナビゲーションデータを含む。また、各ＶＴＳは、ＶＴＳＭ＿ＶＯＢＳ（Video Object Set for the VTS Menu）と呼ばれるＶＴＳメニュー用のビデオオブジェクト及びＶＴＳＴＴ＿ＶＯＢＳ（Video Object Set for the Titles in a VTS）と呼ばれるＶＴＳタイトル用のビデオオブジェクトを含む。また、ＶＴＳＩは、タイトルを識別するための情報や１つ以上のＰＧＣＩなどを含む。
【００１４】
また、ＶＭＧＩ及びＶＴＳＩのナビゲーションデータに含まれるＰＧＣＩの中には、各プログラムで再生するセルの再生情報が記録されている。図３に示すように、セルは、リアルタイムで再生されるデータの単位であり、それぞれに固有のＩＤ番号が付与されている。また、ＰＧＣ（Program Chain）により再生するセルの順番が指定される。映画などの１つの映像タイトルは、１つ以上の連結されたＰＧＣにより構成されている。また、ＰＧＣは、ＰＧＣＩと１つ以上のビデオオブジェクトにより構成される。例えば、ＶＭＧＩ内の１つのＰＧＣＩとＶＭＧＭ＿ＶＯＢＳ内の１つ以上のビデオオブジェクトによりＰＧＣが構成される。また、ＶＴＳＩ内の１つのＰＧＣＩとＶＴＳＭ＿ＶＯＢＳ内の１つ以上のビデオオブジェクトによりＰＧＣが構成される。また、ＶＴＳＩ内の１つのＰＧＣＩとＶＴＳＴＴ＿ＶＯＢＳ内の１つ以上のビデオオブジェクトによりＰＧＣが構成される。
【００１５】
図４に示すように、ビデオオブジェクトは、複数のセルによって構成されており、各セルは１つ以上のビデオオブジェクトユニットにより構成されている。そして、各ビデオオブジェクトユニットは、ナビゲーションパック（ＮＶ＿ＰＣＫ）とビデオパック（Ｖ＿ＰＣＫ）とオーディオパック（Ａ＿ＰＣＫ）の少なくとも１つを含んで構成されている。また、１つのビデオオブジェクトユニットは、０．４秒〜１秒の再生時間を持ち、先頭には、必ずナビゲーションパックが配置される。また、必要に応じて、１つ以上のＧＯＰ（Group Of Picture）に該当するビデオパック及びオーディオパックが配置される。ここで、ビデオオブジェクトユニットの終端にシーケンス・エンド・コードと呼ばれるコードを配置することで、ＧＯＰの最後のフレームを静止画とすることができる。これにより、所定の再生時間（例えば、０秒〜２４４秒又は無限時間）を持つ静止画を再生することができる。また、オーディオパックを配置することで音声データの付加も自由に行うことができる。ここで、静止画の再生時間及びセルにオーディオパックが配置されているか否かは、ＰＧＣＩにより定義されている。
【００１６】
ディスク回転部２は、図示しないスピンドルモータなどによりディスク１１を回転させる。光ピックアップ３は、半導体レーザ及びホトダイオードを内蔵しており、ディスク１１にレーザ光を照射し、その反射光を検出することでデータの読み出しを行う。また、光ピックアップ３には、図示しないスレッドモータが取り付けられており、ディスク１１の径方向にレーザ光の照射位置を移動させることができる。
【００１７】
サーボ部４は、ディスク回転部２や光ピックアップ３を駆動すると共に、光ピックアップ３に内蔵された図示しない対物レンズを動かすことにより、半導体レーザの焦点位置をディスク１１の記録面の垂直方向及び水平方向に移動させる。また、サーボ部４は、光ピックアップ３によって読み出された信号によって生成されるフォーカスエラー信号やトラッキングエラー信号により公知のフォーカスサーボ及びトラッキングサーボの動作を行う。また、ディスク回転部２の回転の不具合によって生じるスピンドルエラー信号により公知のスピンドルサーボの動作を行う。
【００１８】
また、光ピックアップ３により読み出された信号は、図示しないＲＦアンプにより増幅され、デジタル信号処理部５に送られる。デジタル信号処理部５では、入力した信号をデジタルデータに変換する。また、デジタル信号処理部５は、変換されたデジタルデータに対してＤＶＤ−Ｖｉｄｅｏのデータフォーマットに応じた信号処理を行い、映像データ（動画像データ）や音声データ、静止画データを生成する。そして、デジタル信号処理部５は、図示しないＤ／Ａ変換部によりデジタルデータをアナログ信号に変換し、映像信号を図示しない表示装置などに出力して音声信号を図示しないスピーカなどに出力する。ＲＡＭ６は、デジタル信号処理部５により生成された映像データや音声データ、静止画データを一時的に蓄積するワーク領域である。電源部７は、ディスク再生装置１内の各構成要素２〜６，９に電源を供給する。
【００１９】
ＲＯＭ８は、ディスク再生装置１内のディスク回転部２、光ピックアップ３、サーボ部４、デジタル信号処理部５を制御するための状態制御プログラムと、デジタル信号処理部５に入力されるデータの種類を判定する状態判定プログラムとを格納する。
【００２０】
制御部９は、ＲＯＭ８から状態制御プログラムを読み出して、ディスク再生装置１内のディスク回転部２、光ピックアップ３、サーボ部４、デジタル信号処理部５を制御すると共に、ＲＯＭ８から状態判定プログラムを読み出して、デジタル信号処理部５に入力されるデータの種類を判定する。ここで、制御部９は、特許請求の範囲の状態判定部及び状態制御部に該当する。
【００２１】
ＲＯＭ８から状態判定プログラムを読み出すと、制御部９は、デジタル信号処理部５にて変換されたデジタルデータのＰＧＣを参照して、デジタル信号処理部５に入力されたデータが音声の出力を伴わない静止画データであるか否かを調べる。具体的には、制御部９は、ユーザの操作などにより再生を指示されたＰＧＣのセルの構成を調べることによって、静止画データが再生されているか否かを判定する。また、再生を指示されたＰＧＣのセルにオーディオパックが付加されているか否かを調べることによって音声の出力を伴う静止画データであるか否かを判定する。ここで、制御部９は、ＰＧＣＩを参照することによりセルの構成及びセルにオーディオパックが付加されているか否かを調べる。具体的には、制御部９では、ＰＧＣＩによって静止画データの再生時間が設定されている場合には、デジタル信号処理部５に入力されているデータが静止画データであると判断する。
【００２２】
また、制御部９は、状態判定プログラムによる判定結果に応じてＲＯＭ８から状態制御プログラムを読み出し、ディスク回転部２、光ピックアップ３、サーボ部４の動作を停止させ、デジタル信号処理部５を制御して静止画データを継続して出力させる。すなわち、デジタル信号処理部５から静止画信号が出力されており、音声信号が出力されていない（無音である）状態であると制御部９にて判断した場合には、音声の出力を伴わない静止画データが再生されているという判定結果が得られる。このような判定結果を得た制御部９は、ディスク回転部２、光ピックアップ３及びサーボ部４の動作を停止させる。そして、制御部９は、デジタル信号処理部５を制御して、現在出力されている静止画信号の出力を継続させる。デジタル信号処理部５では、ＲＡＭ６に蓄積されている静止画データを読み出して静止画信号の出力を継続する。ここで、ディスク回転部２、光ピックアップ３、サーボ部４には、電源部７から電源が供給されない状態となる。
【００２３】
ここで、静止画データの再生時間が第１の所定時間（例えば１５秒）以上であるときにのみ、制御部９は、ディスク回転部２、光ピックアップ３、サーボ部４の動作を停止させることが好ましい。例えば、静止画データの再生時間が極端に短い場合などにおいて、ディスク回転部２、光ピックアップ３、サーボ部４の動作を停止させると、次に再生される静止画データなどを読み出すまでにタイムラグを生じてしまう。これに対して、静止画データの再生時間が第１の所定時間以上であるときにのみ、ディスク回転部２、光ピックアップ３、サーボ部４の動作を停止させることにより、タイムラグを生じることなく、スムーズに再生動作を継続させることができる。
【００２４】
また、ＰＧＣＩにより静止画データの再生時間が有限の時間に設定されている場合には、制御部９は、静止画データの再生が終了する前に、ディスク回転部２、光ピックアップ３、サーボ部４の動作を再開させることが好ましい。例えば、静止画データの再生時間が１５秒間に設定されている場合に、ディスク回転部２、光ピックアップ３、サーボ部４の動作の再開に要する時間が５秒間であるときには、制御部９は、ディスク回転部２、光ピックアップ３、サーボ部４を１０秒間（第２の所定時間）停止させる。ここで、サーボ部４は、動作を停止する際にディスク回転部２の回転速度情報や光ピックアップ３の位置情報などの設定値を記憶しており、動作を再開するときには、記憶された設定値に基づいて動作する。
【００２５】
また、ＰＧＣＩにより静止画データの再生時間が無限の時間に設定されている場合には、制御部９は、ユーザの操作などが行われたときに、ディスク回転部２、光ピックアップ３、サーボ部４の動作を再開させる。このように、静止画データの再生時間が無限の時間に設定されている場合には、ディスク回転部２、光ピックアップ３、サーボ部４の動作を再開させる時間を決めることができないので、ユーザの操作などが行われたときに、ディスク回転部２、光ピックアップ３、サーボ部４の動作を再開させるようにしている。これにより、ディスク回転部２、光ピックアップ３、サーボ部４の動作を出来るだけ長く停止させることができる。
【００２６】
次に、本実施形態によるディスク再生装置１の動作及びディスク再生方法を説明する。図５は、本実施形態によるディスク再生装置１の動作及びディスク再生方法を示すフローチャートである。図５において、まず、ユーザからの再生指示やディスク再生装置１にディスク１１を挿入した際の自動再生指示が行われた場合に、制御部９は、ディスク回転部２を制御してディスク１１を回転させつつ、光ピックアップ３を制御してディスク１１からデータを読み出させる。この状態で、制御部９は、サーボ部４を制御してフォーカスサーボとトラッキングサーボとスピンドルサーボとを動作させる（ステップＳ１）。
【００２７】
制御部９では、ＲＯＭ８に格納されている状態判定プログラムを読み出し、光ピックアップ３により読み出されたデータが音声の出力を伴わない静止画データであるか否かを調べる（ステップＳ２）。光ピックアップ３により読み出されたデータが音声の出力を伴わない静止画データではないと制御部９にて判断した場合には（ステップＳ２にてＮＯ）、処理を終了する。ここで、光ピックアップ３により読み出されたデータが音声の出力を伴わない静止画データではない場合とは、読み出されたデータが静止画データではない場合、静止画データであるが音声の出力を伴う場合の何れかである。
【００２８】
一方、光ピックアップ３により読み出されたデータが音声の出力を伴わない静止画データであると制御部９にて判断した場合には（ステップＳ２にてＹＥＳ）、制御部９は、音声の出力を伴わない静止画データの出力される時間が第１の所定時間以上に設定されているか否かを調べる（ステップＳ３）。音声の出力を伴わない静止画データの出力される時間が第１の所定時間以上に設定されていないと制御部９にて判断した場合には（ステップＳ３にてＮＯ）、処理を終了する。
【００２９】
一方、音声の出力を伴わない静止画データの出力される時間が第１の所定時間以上に設定されていると制御部９にて判断した場合には（ステップＳ３にてＹＥＳ）、制御部９は、音声の出力を伴わない静止画データの出力される時間が無限に設定されているか否かを調べる（ステップＳ４）。音声の出力を伴わない静止画データの出力される時間が無限に設定されていると制御部９にて判断した場合には（ステップＳ４にてＹＥＳ）、制御部９は、ＲＯＭ８より状態制御プログラムを読み出し、ディスク回転部２、光ピックアップ３、サーボ部の動作を停止する（ステップＳ５）。この状態で、制御部９は、ユーザなどにより、他のデータ（映像データや静止画データ、音声データなど）を再生する操作が行われたか否かを調べる（ステップＳ６）。他のデータを再生する操作が行われていないと制御部９にて判断した場合には（ステップＳ６にてＮＯ）、ステップＳ６の処理を繰り返す。一方、他のデータを再生する操作が行われたと制御部９にて判断した場合には（ステップＳ６にてＹＥＳ）、ステップＳ９にジャンプする。
【００３０】
また、音声の出力を伴わない静止画データの出力される時間が無限に設定されていないと制御部９にて判断した場合には（ステップＳ４にてＮＯ）、制御部９は、ＲＯＭ８より状態制御プログラムを読み出し、ディスク回転部２、光ピックアップ３、サーボ部４の動作を停止する（ステップＳ７）。この状態で、制御部９は、第１の所定時間（ステップＳ３にて検出された時間）よりも短い第２の所定時間が経過したか否かを調べる（ステップＳ８）。第１の所定時間よりも短い第２の所定時間が経過していないと制御部９にて判断した場合には（ステップＳ８にてＮＯ）、ステップＳ８の処理を繰り返す。ここで、第２の所定時間とは、ディスク回転部２、光ピックアップ３、サーボ部４の動作の再開に要する時間を考慮して予め設定された時間であり、例えば、第１の所定時間から動作の再開に要する時間を減算した時間である。
【００３１】
一方、第１の所定時間よりも短い第２の所定時間が経過したと制御部９にて判断した場合には（ステップＳ８にてＹＥＳ）、ステップＳ９に移行する。ステップＳ９では、制御部９は、ディスク回転部２、光ピックアップ３、サーボ部４の動作を再開する。
【００３２】
以上詳しく説明したように、本実施形態によれば、音声の出力を伴わない静止画データを再生しているか否かを制御部９により判定し、音声の出力を伴わない静止画データを再生していると制御部９にて判断した場合に、ディスク回転部２や光ピックアップ３、サーボ部４の動作を停止するように制御部９にて制御している。これにより、ディスク１１を再生している場合でも、音声の出力を伴わない静止画データを再生したまま、ディスク回転部２や光ピックアップ３、サーボ部４の動作を停止させることができるので、ディスク１１の回転や光ピックアップ３の動作、各サーボの動作による電力の消費を抑制することができる。従って、できるだけ無駄なエネルギーを消費しないようにすることができる。
【００３３】
また、本実施形態によれば、音声の出力を伴わない静止画データを再生する場合に、ディスク回転部２や光ピックアップ３、サーボ部４の動作を停止させるので、ノイズを低減させることができ、ユーザは快適に静止画を鑑賞することができる。また、本実施形態によれば、音声の出力を伴わない静止画データを再生する場合に、ディスク回転部２や光ピックアップ３、サーボ部４の動作を停止させるので、不要な発熱を低減することができる。
【００３４】
また、本実施形態によれば、制御部９は、静止画データが再生される時間を調べ、静止画データの再生が終了する前にディスク回転部２や光ピックアップ３、サーボ部４の動作を再開させる。これにより、ディスク回転部２や光ピックアップ３、サーボ部４が停止した状態から動作する状態に移行してから静止画の再生が終了するので、タイムラグを生じることなく、スムーズに次の映像や音声を再生することができる。
【００３５】
なお、前述した本実施形態において、静止画データの１つの例としてメニュー画面がある。ここで、メニュー画面は、図示しない操作部によって、「メニュー」という操作ボタンを操作したり、ディスク１１をディスク再生装置１に挿入したりしたときに表示される。また、メニュー画面には、背景となるメニュー画像だけでなく、ユーザにより操作可能なボタン状の画像であるメニューボタン、メニュー画像やメニューボタンにおけるユーザ操作可能な領域を示すハイライト画像などが表示される。また、メニュー画像のデータは、ＶＭＧのＶＭＧＭ＿ＶＯＢＳのビデオオブジェクトユニットを構成するビデオパックに記録されている。また、メニューボタンやハイライト画像のデータは、ＶＭＧのＶＭＧＭ＿ＶＯＢＳのビデオオブジェクトユニットを構成するナビゲーションパックに記録されている。メニューボタンやハイライト画像のデータとしては、メニューボタンやハイライト画像の大きさ、位置（座標）、配色、表示開始時間、表示終了時間などがある。
【００３６】
デジタル信号処理部５は、メニュー画像のデータと共に、メニューボタンやハイライト画像のデータをＲＡＭ６に蓄積しておく。これにより、制御部９が、ディスク回転部２、光ピックアップ３、サーボ部４の動作を停止させたとしても、メニュー画面が図示しない表示装置に表示され続ける。
【００３７】
また、このような場合において、制御部９がディスク回転部２、光ピックアップ３、サーボ部４の動作を再開させる場合に、メニュー画面の画像データの再生時間だけではなく、メニューボタンやハイライト画像の表示終了時間などを考慮するようにしても良い。例えば、ハイライト画像の表示終了時間がメニュー画面の画像データの再生終了時間よりも早い場合には、ハイライト画像の表示終了時間になる前に、制御部９は、ディスク回転部２、光ピックアップ３、サーボ部４の動作を再開させる。
【００３８】
また、前述した本実施形態では、音声の出力を伴わない静止画データが再生される場合に、制御部９は、ディスク回転部２、光ピックアップ３、サーボ部４の全ての動作を停止させるようにしているが、これに限定されない。例えば、ディスク回転部２、光ピックアップ３、サーボ部４の何れか１つ又は２つの動作を停止させるようにしても良い。例えば、ディスク回転部２の動作のみを停止させる。一般に、ディスク回転部２に比べて光ピックアップ３の方が動作を再開するまでに時間がかかる。例えば、ディスク回転部２の動作を再開するまでに要する時間が１秒程度であるのに対して、光ピックアップ３の動作を再開するまでに要する時間は４秒程度である。そのため、ディスク回転部２の動作のみを停止させた場合には、静止画データの再生が終了する１秒前にディスク回転部２の動作を再開させれば良いので、より長い時間ディスク回転部２の回転を停止させておくことができる。
【００３９】
また、前述した本実施形態では、制御部９は、音声の出力を伴わない静止画データの再生時間が有限か無限かによらず、ディスク回転部２、光ピックアップ３、サーボ部４の全ての動作を停止させるようにしているが、これに限定されない。例えば、静止画データの再生時間が有限時間に定義されている場合には、制御部９は、ディスク回転部２、光ピックアップ３、サーボ部４の動作を停止させるようにして、静止画データの再生時間が無限時間に定義されている場合には、制御部９は、ディスク回転部２の動作のみを停止させるようにしても良い。これにより、静止画データの再生時間が無限時間に定義されている場合には、制御部９は、ユーザによる操作があったときにディスク回転部２の動作を再開させるだけで良く、光ピックアップ３やサーボ部４は常に動作しているので、その動作を再開するための時間を省略することができ、次の動作を迅速に行わせることができる。
【００４０】
また、前述した本実施形態では、静止画データは、他の映像データと同じＤＶＤ−Ｖｉｄｅｏゾーンに記録されているが、これに限定されない。例えば、ＤＶＤ−Ｏｔｈｅｒゾーンなどに静止画データを記録するようにしても良い。また、前述した本実施形態では、制御部９は、ＰＧＣＩを参照することにより静止画であるか否かの判定を行っているが、これに限定されない。例えば、静止画データに固有に付加されるＩＤを参照して判定したり、静止画データのファイル形式を参照して判定したりしても良い。
【００４１】
その他、前記本実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４２】
本発明は、回転駆動させたディスクに記録された情報を光ピックアップにより読み取るディスク再生装置に有用である。
【図面の簡単な説明】
【００４３】
【図１】本実施形態によるディスク再生装置の構成例を示すブロック図である。
【図２】ＤＶＤのファイル構造の例を示す図である。
【図３】ＰＧＣの構造の例を示す図である。
【図４】ビデオオブジェクトの構造の例を示す図である。
【図５】本実施形態によるディスク再生装置の動作及びディスク再生方法を示すフローチャートである。
【符号の説明】
【００４４】
１    ディスク再生装置
２    ディスク回転部
３    光ピックアップ
４    サーボ部
５    デジタル信号処理部
６    ＲＡＭ
７    電源部
８    ＲＯＭ
９    制御部
【図１】
2006338823.tif 000003
【図２】
2006338823.tif 000004
【図３】
2006338823.tif 000005
【図４】
2006338823.tif 000006
【図５】
2006338823.tif 000007